(57)【要約】【課題】  周波数分解能の高い高価な発振器を使用することなく、信号処理精度を上げること。【解決手段】  ＶＣＯ３２の出力する信号を分数分周するＮ分周器２６を含み、所与の周期信号である基準信号と、前記分数分周の分周値と、に応じた周波数の周波数変換用信号をＶＣＯ３２に出力させるＰＬＬ２２と、ＶＣＯ３２から出力される周波数変換用信号に基づいて受信信号を周波数変換し、変換周波数信号を出力するミキサ１４と、前記出力される変換周波数信号の品質を示す信号品質情報を取得し、前記取得される信号品質情報により示される変換周波数信号の品質に応じて、前記Ｎ分周器２６の分周値を変更するベースバンド部１６と、を含むことを特徴とするＡＦＣ回路３４。【選択図】        図１
2006319927.tif 000002
【特許請求の範囲】
【請求項１】
ＶＣＯの出力する信号を分数分周する分周器、及び
所与の周期信号である基準信号と前記分数分周の分周値とに応じた周波数の周波数変換用信号を前記ＶＣＯに出力させるＶＣＯ制御手段、
を含むＰＬＬと、
前記ＶＣＯから出力される周波数変換用信号に基づいて受信信号を周波数変換し、変換周波数信号を出力する周波数変換手段と、
前記出力される変換周波数信号の品質を示す信号品質情報を取得する信号品質情報取得手段と、
前記取得される信号品質情報により示される変換周波数信号の品質に応じて、前記分周器の分周値を変更する分周値変更手段と、
を含むことを特徴とするＡＦＣ回路。
【請求項２】
請求項１に記載のＡＦＣ回路において、
前記分周値変更手段は、前記取得される信号品質情報により、変換周波数信号の品質が所定値より悪いことが示される場合に、前記分周器の分周値を変更する、
ことを特徴とするＡＦＣ回路。
【請求項３】
請求項２に記載のＡＦＣ回路において、
前記分周値変更手段は、前記取得される信号品質情報により、変換周波数信号の品質が所定値より良いことが示されるまで、前記分周器の分周値の変更を繰り返す、
ことを特徴とするＡＦＣ回路。
【請求項４】
請求項１乃至３のいずれかに記載のＡＦＣ回路において、
前記基準信号の周波数を制御する周波数制御手段と、
前記基準信号の周波数分解能を上回る分解能で周波数制御を行うことを決定する決定手段と、
をさらに含み、
前記決定手段により、前記基準信号の周波数分解能を上回る分解能で周波数制御を行うと決定された場合に、前記分周値変更手段は、前記取得される信号品質情報により示される変換周波数信号の品質に応じて、前記分周器の分周値を変更する、
ことを特徴とするＡＦＣ回路。
【請求項５】
請求項１乃至４のいずれかに記載のＡＦＣ回路において、
前記ＰＬＬはΣΔ変調方式のＰＬＬである、
ことを特徴とするＡＦＣ回路。
【発明の詳細な説明】
【技術分野】
【０００１】
本発明はＡＦＣ回路に関する。
【背景技術】
【０００２】
従来の通信装置では、ドップラー効果やフェージングの影響により、受信信号に周波数誤差が生ずることがある。このため、通信装置の中には、この周波数誤差を補正するためのＡＦＣ(Automatic Frequency Control，自動周波数制御)回路を使用するようにしているものがある。
【０００３】
図６は、ＡＦＣ回路を使用している通信装置の例である。同図に示すように、本発明の背景技術に係る通信装置１００は、アンテナ１１０、増幅器１１２、ミキサ１１４、ベースバンド部１１６、ＤＡＣ(Digital to Analog Converter，デジタル−アナログ変換器)１１８、ＬＰＦ(LooP Filter，ループフィルタ)１１９、発振器１２０、ＰＬＬ(Phase Locked Loop，位相ロックド・ループ)１２２、ＬＰＦ１３０、ＶＣＯ(Voltage Controlled Oscillator，電圧制御発振器)１３２を含んで構成されており、さらにＰＬＬ１２２は、Ｒ分周器１２４、Ｎ分周器１２６、位相比較器１２８を含んで構成されている。そして、ミキサ１１４、ベースバンド部１１６、ＤＡＣ１１８、ＬＰＦ１１９、発振器１２０、ＰＬＬ１２２、ＬＰＦ１３０、ＶＣＯ１３２はＡＦＣ回路１３４を構成している。
【０００４】
アンテナ１１０で受信された通信信号（無線周波数信号）は、増幅器１１２で増幅されて、ミキサ１１４に入力される。ミキサ１１４は、通信信号にＶＣＯ１３２から出力される周波数変換用信号を混合することによって、通信信号の周波数を変換周波数に変換し、ベースバンド部１１６に出力する。ベースバンド部１１６は、入力された通信信号に所定の信号処理を行う。なお、ベースバンド部１１６及びＰＬＬ１２２は、発振器１２０の出力である基準信号を基準クロックとして動作する。
【０００５】
ＡＦＣ回路１３４は、上記周波数変換用信号の周波数を適宜変更することにより、ベースバンド部１１６が、入力される通信信号を適切に信号処理できるようにする回路である。以下、ＡＦＣ回路１３４の処理について説明する。
【０００６】
ベースバンド部１１６は、通信信号を適切に信号処理できているか否かを判定する。適切に信号処理できていないと判定した場合、ＤＡＣ１１８を介して発振器１２０の発振する基準信号の周波数を調節する。このようにして周波数の調節がなされた基準信号は、ＶＣＯ１３２から、その周波数がＮ／Ｒ倍された周波数変換用信号として出力される。ミキサ１１４は上述のように通信信号にＶＣＯ１３２から出力される周波数変換用信号を混合しているので、このようにすることにより、ベースバンド部１１６に入力される通信信号の周波数が調節されることとなる。
【０００７】
また、基準信号の周波数が調節されるので、ベースバンド部１１６における信号処理の基準クロックも調節されることとなる（例えばサンプリング周期が調節される）。
【０００８】
入力された通信信号に周波数誤差があるためにベースバンド部１１６が適切に信号処理できていなかったのであれば、上記のような処理によって、ベースバンド部１１６に入力される通信信号の周波数と、信号処理の基準クロックと、を適切な値に調節すれば、ベースバンド部１１６は信号処理を適切に行うことができるようになる。そこで、ベースバンド部１１６は、入力された通信信号を適切に信号処理できていると判定するまで、少しずつ基準信号の周波数を変えながら、ベースバンド部１１６に入力される通信信号の周波数及びベースバンド部１１６における信号処理の基準クロックを調節していく。ＡＦＣ回路１３４では、このようにして、ベースバンド部１１６が通信信号を適切に信号処理できるようにしている。
【０００９】
なお、特許文献１には、受信信号のデジタル値が適切なものになるよう、発振器の発信周波数を調節することに関する発明が記載されている。
【特許文献１】特開平１０−７５１６０号公報
【発明の開示】
【発明が解決しようとする課題】
【００１０】
しかしながら、上記従来の技術では、ベースバンド部における変換周波数信号の信号処理精度を高めるためには、基準信号の周波数の調節の分解能を上げるために周波数分解能の高い高価な発振器を使用せざるを得ず、より安価に信号処理精度を上げられる方法が求められていた。
【００１１】
本発明は上記課題に鑑みてなされたもので、その目的の一つは、周波数分解能の高い高価な発振器を使用することなく、信号処理精度を上げることを可能にするＡＦＣ回路を提供することにある。
【課題を解決するための手段】
【００１２】
上記課題を解決するための本発明に係るＡＦＣ回路は、ＶＣＯの出力する信号を分数分周する分周器、及び所与の周期信号である基準信号と前記分数分周の分周値とに応じた周波数の周波数変換用信号を前記ＶＣＯに出力させるＶＣＯ制御手段、を含むＰＬＬと、前記ＶＣＯから出力される周波数変換用信号に基づいて受信信号を周波数変換し、変換周波数信号を出力する周波数変換手段と、前記出力される変換周波数信号の品質を示す信号品質情報を取得する信号品質情報取得手段と、前記取得される信号品質情報により示される変換周波数信号の品質に応じて、前記分周器の分周値を変更する分周値変更手段と、を含むことを特徴とする。
【００１３】
本発明によれば、分数分周を行う分周器の分周値の変更によって周波数変換用信号の周波数を変更することができ、周波数分解能の高い高価な発振器を使用することなく、変換周波数信号の信号処理精度を上げることが可能になる。
【００１４】
また、上記ＡＦＣ回路において、前記分周値変更手段は、前記取得される信号品質情報により、変換周波数信号の品質が所定値より悪いことが示される場合に、前記分周器の分周値を変更する、こととしてもよい。
【００１５】
また、上記ＡＦＣ回路において、前記分周値変更手段は、前記取得される信号品質情報により、変換周波数信号の品質が所定値より良いことが示されるまで、前記分周器の分周値の変更を繰り返す、こととしてもよい。
【００１６】
このようにすることにより、分数分周を行う分周器の分周値の変更によって周波数変換用信号の周波数を微調整することができ、変換周波数信号の信号処理精度をさらに高めることが可能になる。
【００１７】
また、上記ＡＦＣ回路において、前記基準信号の周波数を制御する周波数制御手段と、前記基準信号の周波数分解能を上回る分解能で周波数制御を行うことを決定する決定手段と、をさらに含み、前記決定手段により、前記基準信号の周波数分解能を上回る分解能で周波数制御を行うと決定された場合に、前記分周値変更手段は、前記取得される信号品質情報により示される変換周波数信号の品質に応じて、前記分周器の分周値を変更する、こととしてもよい。
【００１８】
このようにすることにより、周波数変換用信号の周波数調整を基準信号の周波数調整によって大まかに行った上で、分数分周を行う分周器の分周値の変更によって周波数変換用信号の周波数を微調整することができる。
【００１９】
さらに、上記ＡＦＣ回路において、前記ＰＬＬはΣΔ変調方式のＰＬＬである、こととしてもよい。
【００２０】
ΣΔ変調方式のＰＬＬでは他の方式のＰＬＬに比して分数分周の分母を大きくすることができるので、分数分周の分母をできるだけ大きく設定することにより、周波数変換用信号の周波数をより細かく調整することができ、変換周波数信号の信号処理精度をさらに高めることが可能になる。
【発明を実施するための最良の形態】
【００２１】
本発明の実施の形態について、図面を参照しながら説明する。
【００２２】
図１は、本実施の形態にかかる通信装置１のシステム構成図である。同図に示すように、通信装置１は、アンテナ１０、増幅器１２、ミキサ１４、ベースバンド部１６、発振器２０、ＰＬＬ(Phase Locked Loop，位相ロックド・ループ)２２、ＬＰＦ３０、ＶＣＯ(Voltage Controlled Oscillator，電圧制御発振器)３２を含んで構成されており、さらにＰＬＬ２２は、Ｒ分周器２４、Ｎ分周器２６、Ｎ変調部２７、位相比較器２８を含んで構成されるフラクショナル−Ｎ方式のＰＬＬである。ミキサ１４、ベースバンド部１６、発振器２０、ＰＬＬ２２、ＬＰＦ３０、ＶＣＯ３２はＡＦＣ(Automatic Frequency Control，自動周波数制御)回路３４を構成している。
【００２３】
本実施の形態では、ベースバンド部１６は、アンテナ１０で受信される通信信号の信号処理を行うとともに、その受信品質を取得する。そして、取得した受信品質に基づいてＮ変調部２７を制御し、Ｎ分周器２６の分周値を変更することにより、受信品質のよい値で、Ｎ分周器２６の分周値を固定するようにしている。以下、このための構成及び処理について、詳細に説明する。
【００２４】
まず、通信装置１はアンテナ１０で通信信号を受信する。そして通信装置１は、受信した通信信号を増幅器１２で増幅し、ミキサ１４に入力する。
【００２５】
発振器２０は、所与の周波数の周期信号である基準信号を出力する。ＰＬＬ２２は、発振器２０が出力する基準信号をＲ分周器２４において分周する。そして、分周後の基準信号を位相比較器２８に入力する。位相比較器２８は、Ｒ分周器２４から入力された分周後の基準信号と、Ｎ分周器２６から入力される信号（後述）と、を位相比較し、その結果に応じた電圧信号をＬＰＦ３０に出力する。ＬＰＦ３０は、位相比較器２８から出力される電圧信号の雑音成分を取り除き、ＶＣＯ３２に出力する。ＶＣＯ３２は、ＬＰＦ３０から入力される電圧信号に応じた周波数の信号（周波数変換用信号）を出力し、ミキサ１４及びＮ分周器２６に入力する。つまり、ＰＬＬ２２は、基準信号と、Ｒ分周器２４及びＮ分周器２６の分周値と、に応じた周波数の周波数変換用信号をＶＣＯ３２が出力するよう制御している。
【００２６】
ミキサ１４は、ＶＣＯ３２から入力される周波数変換用信号に基づき、入力される通信信号の周波数変換を行う。より具体的には、ミキサ１４は、入力される通信信号と、ＶＣＯ３２から入力される周波数変換用信号と、を混合することにより通信信号を周波数変換する。そして、周波数変換後の通信信号をベースバンド部１６に出力する。
【００２７】
Ｎ分周器２６は、ＶＣＯ３２から入力される周波数変換用信号を分数分周し、位相比較器２８に出力する。このように、Ｎ分周器２６において分数分周を行うＰＬＬ２２は、フラクショナル−Ｎ方式のＰＬＬと呼ばれる。Ｎ分周器２６の分周値は、ベースバンド部１６からの制御信号に従った分周値となる。位相比較器２８は、Ｎ分周器２６から入力される周波数変換用信号と、Ｒ分周器２４から入力される分周後の基準信号と、の位相比較を行う。このようにして、ＰＬＬ２２は周波数変換用信号の帰還回路を含んで構成される周波数制御回路として機能する。そして、帰還回路を含まない場合に比べ、より精密に周波数変換用信号の周波数制御を行うことが可能になっている。
【００２８】
Ｎ変調部２７は、Ｎ分周器２６の分周値をΣΔ変調する（すなわち、乱数を発生し、該乱数に応じて分周値を変更する）。フラクショナル−Ｎ方式のＰＬＬでは、分数分周を行っている為、フラクショナルスプリアスと呼ばれるスプリアスが生ずる。このフラクショナルスプリアスは、Ｎ変調部２７がＮ分周器２６の分周値をΣΔ変調することにより、Ｒ分周器２４において分周された後の基準信号の周波数近辺に集められる。
【００２９】
ベースバンド部１６は、ミキサ１４から入力される周波数変換後の通信信号の受信品質を示す信号品質情報を取得する。信号品質情報としては、通信信号をデジタル信号に変換した後のエラーレートを使用することが好適である。他にも、例えばキャリア／ノイズ比を信号品質情報として使用してもよい。
【００３０】
ベースバンド部１６は、取得した信号品質情報と、所定の閾値と、を比較し、信号品質情報が所定閾値を上回るよう、発振器２０とＮ分周器２６とを制御する。
【００３１】
まず、信号品質情報に基づく発振器２０の制御について説明する。発振器２０は、上述のように所与の周波数の基準信号を出力する。ベースバンド部１６は、信号品質情報に応じて、この基準信号の周波数を制御する。具体的には、信号品質情報に基づき、信号品質情報が所定閾値を上回るよう、基準信号の周波数を変更する。
【００３２】
このようにしてＰＬＬ２２に入力される基準信号の周波数が変更されると、位相比較器２８に入力される信号の周波数も変更される。さらに、ＶＣＯ３２からミキサ１４に出力される周波数変換用信号の周波数も変更される。このため、ミキサ１４から出力される通信信号の周波数も変更されることになる。
【００３３】
一方、発振器２０の出力する基準信号の周波数は、ベースバンド部１６における通信信号をデジタル信号に変換する際のサンプリングにおいて、サンプリング周期を決定するための基準クロックとして使用される。
【００３４】
つまり、ベースバンド部１６は、発振器２０の出力する基準信号の周波数を制御することにより、ミキサ１４から出力される通信信号の周波数と、ベースバンド部１６内部でのサンプリング周期と、を調節することとなる。このため、ベースバンド部１６は、発振器２０の出力する基準信号の周波数の制御によって、通信信号の受信品質を制御することができるのである。
【００３５】
次に、信号品質情報に基づくＮ分周器２６の制御について説明する。ベースバンド部１６は、信号品質情報に応じて、Ｎ分周器２６の分周値を変更するための制御信号を生成し、Ｎ分周器２６に対して出力する。具体的には、ベースバンド部１６は、信号品質情報が所定閾値より悪い場合に、該信号品質情報に応じて、信号品質情報が所定閾値を上回るよう、Ｎ分周器２６の分周値を変更する。
【００３６】
このようにしてＮ分周器２６の分周値が変更されると、位相比較器２８に入力される信号の周波数が変更される。さらに、ＶＣＯ３２からミキサ１４に出力される周波数変換用信号の周波数も変更される。このため、ミキサ１４から出力される通信信号の周波数も変更されることになる。
【００３７】
つまり、ベースバンド部１６は、Ｎ分周器２６の分周値を変更するよう制御することにより、ミキサ１４から出力される通信信号の周波数を調節することとなる。そして、ベースバンド部１６は、この制御を、信号品質情報が所定閾値を上回るまで、Ｎ分周器２６の分周値を変えながら繰り返す。このようにして、ベースバンド部１６は、Ｎ変調部２７の制御による通信信号の受信品質の制御を行っている。
【００３８】
以上のように、ベースバンド部１６は、発振器２０とＮ分周器２６とを制御することにより、通信信号の受信品質がよくなるようにしている。なお、ベースバンド部１６は、発振器２０の制御により大まかに通信信号の周波数及びサンプリング周期を決定しておき、Ｎ分周器２６の制御により通信信号の周波数をさらに精密に決定するようにすることが好適である。
【００３９】
以下、ベースバンド部１６による上記処理（通信信号周波数補正処理）について、処理のフロー図を参照しながらより詳細に説明する。
【００４０】
まず、ベースバンド部１６は、通信信号のエラーレートを取得する（Ｓ１００）。ここで、エラーレートは、その値が小さいほど受信品質がよいことを示している。
【００４１】
ベースバンド部１６は、エラーレートが、記憶している閾値Ｅｒｒより小さいか否かを判定する（Ｓ１０１）。すなわち、エラーレートにより示される受信品質が、記憶している閾値Ｅｒｒで示される受信品質よりよいか否か判定する。エラーレートが閾値Ｅｒｒより小さいと判定した場合、ベースバンド部１６は処理を終了する。一方、エラーレートが閾値Ｅｒｒ以上であると判定した場合、通信信号の周波数のポーラリティ（極性）を取得し、変数ＰＡに代入する（Ｓ１０２）。この周波数のポーラリティは、通信信号の周波数が、本来受信されるべき周波数より高い周波数であるか、低い周波数であるか、を識別するための情報である。ポーラリティＰＡが、通信信号の周波数が本来受信されるべき周波数より高い周波数であることを示している場合、通信信号の周波数を下げる方向で周波数を変更することが、通信信号の受信品質の改善方向への周波数の変更となる。一方、ポーラリティＰＡが、通信信号の周波数が本来受信されるべき周波数より低い周波数であることを示している場合、通信信号の周波数を上げる方向で周波数を変更することが、通信信号の受信品質の改善方向への周波数の変更となる。
【００４２】
発振器２０（ここでは、ＶＣＴＣＸＯ（電圧制御・温度補償水晶発振器）であるとする。）は、その出力する基準信号の周波数を、記憶している制御用ビットの値に応じて変更する。この制御用ビットは、上昇制御用ビットと、下降制御用ビットと、からなり、上昇制御用ビットに１が立っている場合、発振器２０は基準信号の周波数を予め定められている段階で１段階上昇させるとともに、上昇制御用ビットの値を０に戻す。同様に、下降制御用ビットに１が立っている場合、発振器２０は基準信号の周波数を予め定められている段階で１段階下降させるとともに、下降制御用ビットの値を０に戻す。
【００４３】
そこで、ベースバンド部１６は、上記ポーラリティＰＡに応じた改善方向に周波数が変更されるよう、発振器２０の制御用ビットのうちのひとつに１を立てる処理を行う（Ｓ１０３）。そして、通信信号のエラーレートを再度取得し、エラーレートが、記憶している閾値Ｅｒｒより小さいか否かを判定する（Ｓ１０４）。エラーレートが閾値Ｅｒｒより小さいと判定した場合、ベースバンド部１６は処理を終了する。一方、エラーレートが閾値Ｅｒｒ以上であると判定した場合、通信信号の周波数のポーラリティ（極性）を再度取得し、変数ＰＢに代入する（Ｓ１０５）。そして、変数ＰＡと変数ＰＢが等しければ、すなわちポーラリティが変化していなければ、変数ＰＡに変数ＰＢを代入し、Ｓ１０３に戻り、再度発振器２０の制御用ビットのうちのひとつに１を立てる処理を行う。
【００４４】
変数ＰＡと変数ＰＢが等しくなければ、すなわちポーラリティが変化していれば、ベースバンド部１６は、発振器２０の制御による通信信号周波数補正制御の限界を超えたと判断し、Ｎ分周器２６の制御による通信信号周波数補正制御に処理を移す。
【００４５】
Ｎ分周器２６も、発振器２０同様、記憶している制御用ビットの値に応じて分周値を変更する。この制御用ビットは、上昇制御用ビットと、下降制御用ビットと、からなり、上昇制御用ビットに１が立っている場合、Ｎ分周器２６は、予め定められている段階で分周値を１段階上昇させるとともに、上昇制御用ビットの値を０に戻す。同様に、下降制御用ビットに１が立っている場合、Ｎ変調部２７は、予め定められている段階で分周値を１段階下降させるとともに、下降制御用ビットの値を０に戻す。
【００４６】
そこで、ベースバンド部１６は、上記ポーラリティＰＢに応じた改善方向に周波数が変更されるよう、Ｎ分周器２６の制御用ビットのうちのひとつに１を立てる処理を行う（Ｓ１０７）ことにより、Ｎ分周器２６に対して制御信号を出力する。そして、通信信号のエラーレートを再度取得し、エラーレートが、記憶している閾値Ｅｒｒより小さいか否かを判定する（Ｓ１０８）。エラーレートが閾値Ｅｒｒより小さいと判定した場合、ベースバンド部１６は処理を終了する。一方、エラーレートが閾値Ｅｒｒ以上であると判定した場合、Ｓ１０７に戻り、再度Ｎ変調部２７の制御用ビットのうちのひとつに１を立てる処理を行う。この処理を、Ｓ１０８においてエラーレートが閾値Ｅｒｒより小さいと判定されるまで繰り返し行う。もちろん、無限ループにならないよう、タイムアウト処理を含めることが望ましい。
【００４７】
以上のようにして、ベースバンド部１６はＡＦＣ回路３４を利用して通信信号周波数補正処理を行い、よりよい受信品質が得られるようにしている。
【００４８】
以上説明したように、分数分周を行うＮ分周器２６の分周値の変更によって周波数変換用信号の周波数を調整することができ、発振器２０として周波数分解能の高い高価な発振器を使用することなく、変換周波数信号の信号処理精度を上げることが可能になる。
【００４９】
また、周波数変換用信号の周波数調整を発振器２０の出力する基準信号の周波数調整によって大まかに行った上で、分数分周を行うＮ分周器２６の分周値の変更によって周波数変換用信号の周波数を微調整することができる。
【００５０】
さらに、ＰＬＬ２２として、ΣΔ変調方式のＰＬＬを使用すれば、他の方式のＰＬＬに比して分数分周の分母を大きくすることができるので、分数分周の分母をできるだけ大きく設定することにより、周波数変換用信号の周波数をより細かく調整することができ、変換周波数信号の信号処理精度をさらに高めることが可能になる。
【００５１】
なお、本発明は上記実施の形態に限定されるものではなく、上記実施の形態には種々の変形例がある。以下、このような変形例のうちの一部について、説明する。
【００５２】
図３は、第１の変形例にかかる通信装置の処理のフロー図である。第１の変形例は、図２で説明した処理から、発振器２０の基準信号の周波数を制御する処理（Ｓ１０３乃至Ｓ１０６）を省いたものである。周波数の誤差があまり大きくならない環境で使用される通信装置では、このように発振器２０の基準信号の周波数を制御する処理を省いたとしても十分な周波数補正制御が実現できる。
【００５３】
図４は、第２の変形例にかかる通信装置の処理のフロー図である。上記実施の形態では、エラーレートに基づいて発振器２０の基準信号の周波数を制御する処理やＮ分周器２６の分周値を制御する処理を行っているが、第２の変形例では、ベースバンド部１６において、周波数の誤差そのものを取得するようにしている。
【００５４】
図４に示すように、第２の変形例では、まずベースバンド部１６は周波数誤差を取得し、変数＠に代入する（Ｓ２０１）。そして、変数＠の値が記憶している閾値ｆｐｌｌより小さいか否かを判定する（Ｓ２０２）。変数＠の値が閾値ｆｐｌｌより小さい場合、ベースバンド部１６は処理を終了する。一方、変数＠の値が記憶している閾値ｆｐｌｌ以上であると判定した場合、さらに変数＠の値が記憶している閾値ｆｔｃｘｏより大きいか否かを判定する（Ｓ２０３）。変数＠の値が閾値ｆｔｃｘｏより大きい場合、ベースバンド部１６は発振器２０の基準信号の周波数を制御する処理により、通信信号の周波数の補正処理を行う（Ｓ２０５）。そして、この処理を変数＠の値が閾値ｆｔｃｘｏ以下となるまで繰り返す。
【００５５】
変数＠の値が閾値ｆｔｃｘｏ以下である場合、ベースバンド部１６はＮ分周器２６の分周値を制御する処理により、通信信号の周波数の補正処理を行う（Ｓ２０４）。
【００５６】
第２の変形例では、このように段階的に処理を変えることにより、効率よく通信信号の周波数補正制御を行っている。
【００５７】
図５は、第３の変形例にかかる通信装置の処理のフロー図である。第３の変形例は、図４で説明した処理から、発振器２０の基準信号の周波数を制御する処理（Ｓ２０３及びＳ２０５）を省いたものである。周波数の誤差があまり大きくならない環境で使用される通信装置では、このように発振器２０の基準信号の周波数を制御する処理を省いたとしても十分な周波数補正制御が実現できる。
【００５８】
なお、上記実施の形態及び変形例においては、いずれも本発明を通信装置に適用する場合を前提に説明したが、本発明は、ＡＦＣ回路を使用するどのような装置においても適用することが可能である。
【図面の簡単な説明】
【００５９】
【図１】本発明の実施の形態に係る通信装置のシステム構成図である。
【図２】本発明の実施の形態に係る処理のフロー図である。
【図３】本発明の実施の形態に係る処理のフロー図である。
【図４】本発明の実施の形態に係る処理のフロー図である。
【図５】本発明の実施の形態に係る処理のフロー図である。
【図６】本発明の背景技術に係る通信装置のシステム構成図である。
【符号の説明】
【００６０】
１，１００  通信装置、１０，１１０  アンテナ、１２，１１２  増幅器、１４，１１４  ミキサ、１６，１１６  ベースバンド部、２０，１２０  発振器、２２  ＰＬＬ、２４，１２４  Ｎ分周器、２６，１２６  Ｒ分周器、２７  Ｎ変調部、２８，１２８  位相比較器、３０，１１９，１３０  ＬＰＦ、３２，１３２  ＶＣＯ、３４，１３４  ＡＦＣ回路、１１８  ＤＡＣ。
【図１】
2006319927.tif 000003
【図２】
2006319927.tif 000004
【図３】
2006319927.tif 000005
【図４】
2006319927.tif 000006
【図５】
2006319927.tif 000007
【図６】
2006319927.tif 000008